(57)【特許請求の範囲】
【請求項１】
噴霧ノズルを取着したエアゾール容器の残留ガス抜き取り用のキャップであって、
キャップが、エアゾール容器の取付部に係合する外筒と、下端に取り外し可能なプロテクターリングを装着した内筒と、内筒の上端を被う頂壁と、外筒と頂壁との間に連設された反転変形可能な傾斜壁とを具備していることを特徴とする残留ガス抜き取り用キャップ。
【請求項２】
プロテクターリングが、側周壁と、該側周壁の中間に設けられたフランジ、および側周壁下端に設けられた環状板とからなり、
側周壁のフランジの上方外周に、内筒下端に設けられた膨出環に係合する膨出環が設けられていることを特徴とする請求項１記載の残留ガス抜き取り用キャップ。
【発明の詳細な説明】
【０００１】
【発明の属する技術分野】
本発明は、エアゾール容器のガス抜き取り用キャップ、とくに使用後にエアゾール容器内に残留するガス抜き取りを可能としたキャップに関する。
【０００２】
【従来の技術】
使用済みエアゾール容器の残留ガスを抜き取るために、プロテクターリングを取り外したときに、カバーキャップを被嵌すると、噴霧ノズルを押下げ位置に維持して残留ガスを抜き取るようにしたエアゾール容器は、特開２００１−２１５４号に示されているように従来より公知となっており、また、カバーキャップの内蓋を外蓋に対して上下動可能として、内蓋を押下げることによって、噴霧ノズルを押下げ位置に維持して残留ガスを抜き取るようにしたエアゾール容器は、特開２００１−１９０６７号公報に示されているように従来より公知となっている。
【０００３】
【発明が解決しようとする課題】
特開２００１−２１５４号公報記載のプロテクターリング（１１，２１，４１）は、エアゾール缶にしっかりと嵌合されるとともに、容器から取り外しできるよう、指掛け用突出部（１６）や引き裂き帯（２８）、あるいは剥ぎ取りリング（４８）が形成されている。
【０００４】
しかしながら、指掛け用突出部（１６）を形成したプロテクターリング（１１）は、エアゾール缶にしっかりと嵌合されているため、突出部（１６）に嵌合力に打ち勝つだけの力を加えなければならず、簡単に取り外すことができないという問題があり、また、エアゾール缶を誤って横倒ししたときに、突出部があることによって、周辺に傷を付けたりすることがあるという問題や、エアゾール缶の保持に吐出部が邪魔になるという問題点がある。
【０００５】
また、引き裂き帯（２８）を形成したプロテクターリング（２１）は、引き裂き帯（２８）の両側に薄肉部（２６，２７）を設け、さらに、引き裂き帯（２８）にプルリング（２９）を連接しているので、構造が複雑で成形が簡単ではないという問題があった。
【０００６】
また、剥ぎ取りリング（４８）を形成したプロテクターリング（４１）は、プロテクターリング（４１）に多数の切断可能な連結部（４７）を介して摘み部（４９）を設けた剥ぎ取りリング（４８）を連接しており、構造が複雑で成形が簡単でないという問題があった。
【０００７】
特開２００１−１９０６７号公報記載のエアゾール容器では、残留ガスの抜き取りにあたって、内蓋（７）を押圧反転させることによって、噴射ボタン（４）を押下げ、内蓋（７）の筒状体（１２）下端に設けられた係止突起（１４）をマウンティングカップ部（３）のかしめ縁（３ａ）に係合させ、内蓋の反転作用とともに、噴射ボタン（４）の押下げ状態を維持するようにしているが、前記公報に記載されたようなプロテクターリングを具えていないから、まだ使用できる内容物と封入ガスが残っているときに誤って内蓋を押下げると、反転された内蓋を元に戻すことができないから、使用できる内容物と封入ガスが全て噴出されてしまうという問題があった。
【０００８】
本発明は、上記問題を解決することを課題として、キャップの押下げによって残留ガスを抜き取るようにしたエアゾール容器において、エアゾール容器の使用中は、プロテクターリングの取り付けにより、キャップの開閉時には、キャップの頂壁が噴霧ノズルに接触しないように隔離させ、使用済みエアゾール容器から残留ガスを抜き取る場合には、プロテクターを簡単に取り外して、キャップの頂壁を押下げることによって噴霧ノズルを押下げ、残留ガスを抜き取るようにしたエアゾール容器の残留ガス抜き取り用のキャップを提供することを目的とする。
【０００９】
【課題を解決するための手段】
本発明は、上記の課題を解決するため、残留ガス抜き取り用キャップとして、噴霧ノズルを取着したエアゾール容器の残留ガス抜き取り用のキャップであって、
キャップが、エアゾール容器の取付環に係合する外筒と、下端に取り外し可能なプロテクターリングを装着した内筒と、内筒の上端を被う頂壁と、外筒と頂壁との間に連設された反転変形可能な傾斜壁とを具備していることを特徴とする構成を採用する。
【００１０】
プロテクターの具体的実施態様として、プロテクターリングが、側周壁と、該側周壁の中間に設けられたフランジ、および側周壁下端に設けられた環状板とからなり、側周壁のフランジの上方外周に、内筒下端に設けられた膨出部に係合する膨出部が設けられていることを特徴とする構成を採用する。
【００１１】
【発明の実施の形態】
次に、本発明の実施形態について、図面を参照して説明する。
図１において、Ａはエアゾール容器、Ｂは噴霧ノズル、Ｃはキャップである。
エアゾール容器Ａは、公知のように、容器本体１の上端開口部には容器ヘッド２が取り付けられ、取付部３が形成されている。
容器ヘッド２の上端開口部には、中央部にステム４を具えたエアゾールバルブを取着したマウンティングカップ５が取り付けられ、取付部６が形成されている。
【００１２】
噴霧ノズルＢは公知のもので、ステム４に取着され、噴霧ノズルＢを押し下げることによって、ステム４を介してエアゾールバルブを開いて内容物を噴霧できるようになっている。
【００１３】
図２に示すように、キャップＣは、オーバーキャップＣ１とプロテクターリングＣ２とからなっており、オーバーキャップＣ１は、外筒１０と内筒１１と頂壁１２とを具えている。
外筒１０の下端内周には、エアゾール容器Ａの取付部３に係合する膨出環１３が設けられており、膨出環１３を切欠いてガス抜き用の切欠け部１３ａが複数設けられている。
【００１４】
上端内周縁には、頂壁１２の外周に接続されるやや薄肉の反転変形可能な傾斜壁１４が連設されている。
内筒１１の外周には、ガス抜き用のスリット１５が複数個刻設されており、下端には、内方に突出する膨出環１６が設けられ、プロテクターリングＣ２が取着されている。
【００１５】
プロテクターリングＣ２は、側周壁２０とその中間部に突設されたフランジ２１と、側周壁２０の下端に内方に突出した環状板２２とを具えており、フランジ２１の上方には、フランジ２１を挟んで内筒１１下端の膨出環１６に係合する膨出環２３が設けられている。
環状板２２の内周縁下面には、マウンティングカップ５の取付部６内周に係合する突条２４が設けられている。
【００１６】
次に、本発明エアゾール容器の使用態様と作用効果について説明する。
エアゾール容器Ａには、内容物として、薬液、化粧料、洗滌液、殺虫剤等が、液化またはガス状の噴霧剤とともに封入される。
【００１７】
図３に示すように、エアゾール容器Ａの使用にあたっては、キャップＣを開蓋して噴霧ノズルＢを押下げると、ステム４が押下げられてエアゾールバルブが開き、ノズル孔から内容物が噴霧される。
所要の噴霧を終え、エアゾール容器をしまうときには、エアゾール容器ＡにキャップＣを閉蓋する。
【００１８】
キャップＣの開閉にあたっては、図１に示すように、閉蓋時には、内筒１１の下端は、プロテクターリングＣ２の側周壁２０のフランジ２１に載置され、膨出環１６が膨出環２３に嵌合されており、プロテクターリングＣ２の環状板２２は、マウンティングカップ５の取付部６に係合しているので、オーバーキャップＣ１の頂壁１２は、噴霧ノズルＢの上面に接触することはない。
【００１９】
キャップＣの開蓋時には、内筒１１下端の膨出環１６は、プロテクターリングＣ２の膨出環２３に係合しているので、外筒１０を保持して上昇させると、膨出環１３がエアゾール容器Ａの取付部３との係合が解かれ、キャップＣは、プロテクターリングＣ２を保持しつつ開蓋される。
【００２０】
全ての内容物の吐出が終わった使用済みのエアゾール容器の廃棄にあたっては、
図４に示すように、オーバーキャップＣ１からプロテクターリングＣ２を取り外し、オーバーキャップＣ１をエアゾール容器Ａに被嵌して頂壁１２を押下げると、傾斜壁１４が反転変形し、頂壁１２の下面が噴霧ノズルＢを押下げ、内筒１１下端の膨出環１６がマウンティングカップ５の取付部６外周に嵌合して押下げ位置を維持し、噴霧ノズルＢから残留ガスが、内筒１１のスリット１５、外筒１０の膨出環１３の切欠け部１３ａを通じて排出され、全ての残留ガスが抜き取られる。
【００２１】
プロテクターリングＣ２の取り外しにあたっては、内筒１１と側周壁２０の係合は膨出環１６、２３の係合力だけであるので、フランジ２１の外周をつかんで引き抜くだけで、簡単に取り外すことができる。
【００２２】
前記実施形態では、プロテクターリングＣのフランジ２１を側周壁２０の中間部に設けたが、側周壁２０の下端に内外に突出する環状板２２を設け、フランジを兼用させるようにしてもよい。
【００２３】
また、前記実施形態では、噴霧ノズルを取着したエアゾール容器について説明したが、噴霧ノズルに変え、吐出ノズルを取着したエアゾール容器であってもよく、噴霧器に限定されない。
【００２４】
【発明の効果】
本発明は、上記のように構成されているから、次の効果を奏する。
内筒の下端に取り外し可能なプロテクターリングを装着しているので、キャップの閉蓋時に、頂壁を押下げても噴霧ノズルに接することがなく、使用中に誤ってキャップの頂壁を押下げても噴霧されることがない。
プロテクターリングは、簡単に取り外すことができ、頂壁と外筒が反転変形可能な傾斜壁によって連設されているので、プロテクターリングを外して頂壁を押下げた時には噴霧ノズルの押下げ状態を維持し、残留ガスのガス抜き取りが簡単にできるようになった。
【００２５】
プロテクターリングは、キャップの内筒に取着されており、外からは見えないので、エアゾール容器として、デザイン性が損なわれない。
【図面の簡単な説明】
【図１】本発明エアゾール容器の断面正面図である。
【図２】キャップの説明図で、（ａ）はオーバーキャップの断面正面図、（ｂ）はプロテクターリングの一部断面正面図である。
【図３】噴霧時の説明図である。
【図４】残留ガス抜き取り時の説明図である。
【符号の説明】
Ａ      エアゾール容器
Ｂ      噴霧ノズル
Ｃ      キャップ
Ｃ１    オーバーキャップ
Ｃ２    プロテクターリング
１      容器本体
２      容器ヘッド
３      取付部
４      ステム
５      マウンティングカップ
６      取付部
１０    外筒
１１    内筒
１３    膨出環
１３ａ  切欠け部
１４    傾斜壁
１５    スリット
１６    膨出環
２０    側周壁
２１    フランジ
２２    環状板
２３    膨出環
２４    突条
【図１】
0003964161.tif 000002
【図２】
0003964161.tif 000003
【図３】
0003964161.tif 000004
【図４】
0003964161.tif 000005